(57)【特許請求の範囲】
【請求項１】
冷蔵庫の庫内に設置される冷蔵庫の庫内棚において、
前面側に形成されたフランジに前面より奥側に形成された溝と、この溝の下に形成されたリブとを有し、このリブの下面に爪が形成された庫内棚本体と、
断面形状がＵ字形であり、上面が前記庫内棚本体の溝に挿入されるとともに、前記上面と下面との間に前記庫内棚本体のリブが挿入され、前記下面に設けられた開口部が前記庫内棚本体の爪に係合されて固定される補強部材と、
を備えたことを特徴とする冷蔵庫の庫内棚。
【請求項２】
前記補強部材の下面端面に内側への折り曲げを形成したことを特徴とする請求項１記載の冷蔵庫の庫内棚。
【請求項３】
前記補強部材の下面端面の外側へ折り曲げ形状部を形成して、補強リブに係合させたことを特徴とする請求項１記載の冷蔵庫の庫内棚。
【発明の詳細な説明】
【０００１】
【発明の属する技術分野】
この発明は、冷蔵庫の庫内に設置される庫内棚、特に食品収納物等の重量負荷によって発生するたわみに対して補強を施した庫内棚に関するものである。
【０００２】
【従来の技術】
図７は例えば特開平６−３００４３１号公報に示された従来の冷蔵庫の庫内棚を示す斜視図である。同図において、１は合成樹脂の透明部材により形成された庫内棚本体で、プラスチック射出成形法により形成されている。２はこの庫内棚本体１の前部に取り付けられたアルミニウム製の補強部材で、断面Ｃ字形もしくは櫛形形状の櫛前飾りを兼ねており、アルミニウム押出し成形品となっている。
【０００３】
図８は図７のＡ−Ａ線断面図であり、庫内棚本体１にアルミニウム製の補強部材２を挿入した状態を示す部分断面図となっている。図８に示すように、アルミニウム製の補強部材２は庫内棚本体１の前部に装着されているが、これらの庫内棚本体１および補強部材２は、共に中空梁と同様の構造となっている。
【０００４】
図９は上記庫内棚本体１の詳細構造を示す斜視図であり、裏面側から見た様子を示している。また、図１０は図９のＢ−Ｂ線断面図である。図９に示すように、庫内棚本体１には厚肉部３が中央に設けられており、この厚肉部３には十字穴付タッピン皿ねじ用の下穴４が、庫内棚本体１の射出成形時に金型により同時成形されている。そして、庫内棚本体１の上記厚肉部３以外の部分は、庫内棚本体１の肉厚バランスをとるために、肉ヌスミ溝５が設けられている。
【０００５】
また、アルミニウム製の補強部材２は、リブ６が庫内棚本体１の上下位置決め用の溝７に挿入され、リブ８の先端が補強用リブ９の切欠き段差部１０に当接することで、固定位置が決定されるようになっている。そして、この補強部材２に庫内棚本体１の下穴４と同位置になるように塞設された穴（図示せず）に十字穴付タッピン皿ねじ１１を挿入して締結することにより、補強部材２が庫内棚本体１と一体構造となるように構成されている。
【０００６】
図１１は庫内棚本体１にアルミニウム製の補強部材２を締結した状態を示す斜視図であり、図９と同一部分の拡大断面図となっている。補強部材２は、上述の十字穴付タッピン皿ねじ１１により庫内棚本体１に締結されている。また、意匠上の配慮として、アルミニウム製の補強部材２に段差部１２が設けられ、これにより上下位置決め用の溝７とリブ６との隙間が隠蔽されるようになっている。
【０００７】
補強部材２はアルミニウム製なので、縦弾性係数が小さく変形しやすいため、肉厚を厚くし、更に中空形状にして曲げ応力に対する強度を高くしている。
【０００８】
上記のような構成の庫内棚において、実際に食品収容物等を庫内棚本体１に載置して使用する状態では、左右のリブ１３が冷蔵庫の庫内に設けられたレール部（図示せず）により支持され、庫内棚本体１の食品載置面１４に食品収容物等が載置される。そして、食品収容物等により、庫内棚の食品載置面１４に重量負荷が加わると、庫内棚は図８に示す矢印Ｃの方向に、合成樹脂の弾性変形によりたわみが発生する。この庫内棚にたわみが発生すると、食品収容物等が水平状態を保持することができず、不安定な状態となり、転倒等の恐れがあるとともに、上下各段に区画した複数の庫内棚をもつ冷蔵庫では、上、下段の庫内棚の収容物に当接する等の悪影響がある。そこで、たわみを減少するように、アルミニウム製の補強部材２が庫内棚本体１に嵌着されており、全体として剛体となるように構成されている。
【０００９】
【発明が解決しようとする課題】
従来の補強構造をもつ冷蔵庫の庫内棚は以上のように構成されているので、皿ねじ１１の高さ寸法以上の棚の厚さにしなければならず、意匠的に制約されるとともに、収納する食品の高さも棚が厚い分だけ低いものしか入らないなどの問題点があった。
【００１０】
また、以上の構造では、棚本体が透明なので、補強部材の取付構造用のリブの根元ラインが上から見るため横縞模様のようになり、意匠性が悪いという問題点もあった。
【００１１】
また、ねじで固定してするようになっているので、補強部材の下穴加工、ねじ取付作業費用やねじの費用などがかかるという問題点もあった。
【００１２】
また、アルミニウム製の補強部材なので、縦弾性係数が小さいため、肉厚を厚くし、中空形状にすることによって、たわみにくくしているので、重量単価は安くても、使用材料は多くなるのでコストが高くなるという問題点もあった。
【００１３】
この発明は、上記のような問題点を解消するためになされたもので、意匠性を有する棚前飾りに補強部材を兼用させることができ、意匠性が高く、かつ組立作業が簡素化され、原価の低減を図ることが可能な補強構造を有した冷蔵庫の庫内棚を得ることを目的とする。
【００１４】
【課題を解決するための手段】
この発明に係る冷蔵庫の庫内棚は、冷蔵庫の庫内に設置される冷蔵庫の庫内棚において、前面側に形成されたフランジに前面より奥側に形成された溝と、この溝の下に形成されたリブとを有し、このリブの下面に爪が形成された庫内棚本体と、断面形状がＵ字形であり、上面が庫内棚本体の溝に挿入されるとともに、上面と下面との間に庫内棚本体のリブが挿入され、下面に設けられた開口部が庫内棚本体の爪に係合されて固定される補強部材とを備えたことを特徴とする。
【００１６】
また、この発明に係る冷蔵庫の庫内棚は、補強部材の下面端面に内側への折り曲げを形成したことを特徴とする。
【００１７】
また、この発明に係る冷蔵庫の庫内棚は、補強部材の下面端面の外側へ折り曲げ形状部を形成して、補強リブに係合させたことを特徴とする。
【００１８】
【発明の実施の形態】
実施の形態１．
以下、この発明の実施の形態１を図について説明する。図１において、１は合成樹脂の透明部材により形成された庫内棚本体で、プラスチック射出成形法により形成されている。１５はこの庫内棚本体１の前部に取り付けられたステンレス製の板材をプレス加工した補強部材で、断面Ｕ字形の櫛前飾りを兼ねている。１３は左右のリブ、２４は後フランジ、２５は左右端面である。
【００１９】
図２は図１のＤ−Ｄ線断面図であり、庫内棚本体１にステンレス製の補強部材１５を挿入した状態を示す部分断面図となっている。図３は庫内棚本体１の詳細構造を示す裏面を見た斜視図である。また図４は、庫内棚本体１に補強部材１５を挿入した状態を裏面から見た斜視図である。
図において、１６は庫内棚本体１のフランジ、１７は補強部材１５を支持するためのリブ、１８はフランジ１６とリブ１７の間に形成された溝、１９はリブ１７の下面に形成された左右２ヶ所の爪、２０は補強用リブで、リブ１７より下方に延びている。２１は補強部材１５の上面で溝１８に挿入される。２２は補強部材１５の下面であり、穴２３が左右に形成されている。穴２３は爪１９に係合するように形成されている。下面２２の端面は安全上の配慮から補強リブ２０より下方に出ない構成になっている。
【００２０】
次に上記実施の形態の作用について説明する。
補強部材１５の上面２１を溝１８に挿入していくと、上面２１と下面２２の間にリブ１７が挿入されていく。下面２２の端面が爪２３に突き当たっても、爪２３に傾斜がついていて乗り越えやすくしている。補強部材１５のばね性により爪２３を乗り越えても元通りの形状に戻る。穴２３には爪１９が係合しているので前後にずれがないように位置されている。また、補強部材１５を取り外すには、上面２１と下面２３の間口を広げなければならず、外れにくい構造となっている。
【００２１】
下面２２の端面は補強リブ２０より下には出ないようにして使用者が手で触れても怪我をしないようにしている。補強部材１５の上面２１はフランジ１６に沿って、溝１８の奥側まで延びているので上から見ても補強用リブ２０の根元ラインが見えなくなるので意匠性が良くなる。補強部材１５の穴２３と庫内棚本体１の爪１９によって固定しているので、ねじ取付作業費用や、ねじの費用などのコストがかからなくなる。
【００２２】
また、ステンレス製の補強部材１５なので縦弾性係数が大きいので、板材でもたわみにくくなるので、使用材料が少なくなり、コストが安くできる。
また、ねじを使用しないので庫内棚本体１の高さを低くできるので、従来よりも背の高い食品を収納することができる。
【００２３】
食品を食品載置面１４に載せた場合、左右のリブ１３が庫内に設けられたレール（図示せず）により支持されているので下方へたわまない。後フランジ２４は庫内棚本体１を前方へ引き出した時に食品が背面から落ちにくいようにするためにフランジを高くしているので強度があり、また奥側に位置するので、意匠性より強度優先の構造にすることができる。
【００２４】
補強部材１５の上面２１と下面２２を長くしているので、従来の断面Ｃ字状のものよりもたわみにくい。また、補強部材１５の下面２２を長くしているので下から見ても意匠性が良い。さらに、補強部材１５の上面２１を長くしているので抜けにくい。
【００２５】
左右端面２５により補強部材１５の端面から保護されている。
【００２６】
補強部材１５は、例えば厚さが０．８ｍｍのステンレス板材で、高さが６．７ｍｍ、全巾５９０ｍｍである。
【００２７】
爪１９は補強部材１５より下面に出ないようにして、爪１９で人間が怪我をしないようにしており、補強部材１５を止めることのできる係り代を有する爪１９を形成する空間を設けている。
【００２８】
実施の形態２．
図５はこの発明の実施の形態２を示す断面図である。上記実施の形態では、補強部材１５の端面はストレートになっていたが、補強部材１５の板厚を減らして、下面２２の端面に内側への折曲げ２４を形成して補強しても同様の効果を奏する。
【００２９】
実施の形態３．
図６はこの発明の実施の形態３を示す断面図である。上記実施の形態では爪１９と穴２３を係合させて前後位置を決めていたが、下面２２の端面の外側へ向かった折り曲げ形状部２５を形成して、補強リブ２０に係合しても同様の効果が得られる。
【００３０】
【発明の効果】
この発明に係る冷蔵庫の庫内棚は、冷蔵庫の庫内に設置される冷蔵庫の庫内棚において、前面側に形成されたフランジに前面より奥側に形成された溝と、この溝の下に形成されたリブとを有し、このリブの下面に爪が形成された庫内棚本体と、断面形状がＵ字形であり、上面が庫内棚本体の溝に挿入されるとともに、上面と下面との間に庫内棚本体のリブが挿入され、下面に設けられた開口部が庫内棚本体の爪に係合されて固定される補強部材とを備えた構成にしたので、意匠性が高く、かつ組み立て作業簡素化される。また、原価の低減を図ることができる。
【００３２】
また、この発明に係る冷蔵庫の庫内棚は、補強部材の下面端面に内側への折り曲げを形成したことにより、補強部材の板厚を減らすことができる。
【００３３】
また、この発明に係る冷蔵庫の庫内棚は、補強部材の下面端面の外側へ折り曲げ形状部を形成して、補強リブに係合させることにより、前後位置を決めができる。
【図面の簡単な説明】
【図１】  この発明の実施の形態１による冷蔵庫の庫内棚の斜視図である。
【図２】  図１のＤ−Ｄ線断面図である。
【図３】  この発明の実施の形態１による冷蔵庫の庫内棚の要部斜視図である。
【図４】  この発明の実施の形態１による冷蔵庫の庫内棚の要部斜視図である。
【図５】  この発明の実施の形態２による冷蔵庫の庫内棚の斜視図である。
【図６】  この発明の実施の形態３による冷蔵庫の庫内棚の斜視図である。
【図７】  従来の冷蔵庫の庫内棚の斜視図である。
【図８】  図７のＡ−Ａ線断面図である。
【図９】  従来の冷蔵庫の庫内棚の要部斜視図である。
【図１０】  図７のＢ−Ｂ線断面図である。
【図１１】  従来の冷蔵庫の庫内棚の要部斜視図である。
【符号の説明】
１  庫内棚本体、１５  補強部材、１６  フランジ、１７  リブ、１８  溝、１９  爪、２３  穴。
【図１】
0003646821.tif 000002
【図２】
0003646821.tif 000003
【図３】
0003646821.tif 000004
【図４】
0003646821.tif 000005
【図５】
0003646821.tif 000006
【図６】
0003646821.tif 000007
【図７】
0003646821.tif 000008
【図８】
0003646821.tif 000009
【図９】
0003646821.tif 000010
【図１０】
0003646821.tif 000011
【図１１】
0003646821.tif 000012